(57)【特許請求の範囲】
【請求項１】
電線接続部の前方に角筒部が設けられ、
前記角筒部には、前記角筒部を構成する側壁部から延出して折り返し状に密着曲げされることでリブ状に突出した形態とされた２つのスタビライザが、前後に間隔を空けて並ぶように形成されている端子金具において、
前記２つのスタビライザは、夫々、前記側壁部から上方へ面一状に立ち上がる第１平板部と、前記第１平板部の上端縁において略半円弧状に屈曲された曲げ板部と、前記曲げ板部から下方へ延出した第２平板部とから構成されており、
前記２つのスタビライザの間には、前記側壁部から上方へ面一状に延出した平坦な一枚板状の侵入規制部が形成され、
前記侵入規制部の前端が、前側の前記スタビライザの前記第１平板部に対して面一状に連なり、前記侵入規制部の後端が、後側の前記スタビライザの前記第１平板部に対して面一状に連なっており、
前記侵入規制部の前記側壁部からの突出高さは、前記スタビライザの全高寸法より低い寸法とされていることを特徴とする端子金具。
【請求項２】
前記スタビライザが延出する前記壁部には、その壁部とは別の壁部の側縁が略直角に突き当てられ、
前記スタビライザの延出端縁が、前記別の壁部の側縁部に対しその外面側から当接又は接近して対向していることを特徴とする請求項１記載の端子金具。
【請求項３】
前記スタビライザの前後方向の長さ寸法は、前後に隣り合う前記スタビライザの間隔よりも大きい寸法とされていることを特徴とする請求項１又は請求項２に記載の端子金具。
【発明の詳細な説明】
【技術分野】
【０００１】
本発明は、端子金具に関するものである。
【背景技術】
【０００２】
特許文献１に記載された端子金具は、電線接続部の前方に角筒部が配され、角筒部の前後方向に延びる稜線には、角筒部を構成する壁部から延出させた板状部を折り返し状に密着曲げすることによりリブ状に突出した形態のスタビライザが形成されている。このように密着曲げしてスタビライザを形成する場合、スタビライザの長さ寸法が大きくなると、加工がし難くなったり、寸法精度が低下したりする等の不具合がある。その点、上記の端子金具では、２つのスタビライザを前後に間隔を空けて並ぶように配置することにより、１つのスタビライザの長さ寸法を小さくしているので、スタビライザの形成に際しては、加工性に優れ、寸法精度も高くなる。
【先行技術文献】
【特許文献】
【０００３】
【特許文献１】特開平１１−２１９７４４号公報
【発明の概要】
【発明が解決しようとする課題】
【０００４】
しかし、２つのスタビライザを前後に間隔を空けて並べて配置すると、この２つのスタビライザの間に凹部が存在することになり、この凹部に、他部材が噛み込んでしまうことが懸念される。
【０００５】
本発明は上記のような事情に基づいて完成されたものであって、複数のスタビライザを間隔を空けて並べて配置した端子金具において、隣り合うスタビライザの間に異物が噛み込むのを防止することを目的とする。
【課題を解決するための手段】
【０００６】
上記の目的を達成するための手段として、請求項１の発明は、電線接続部の前方に角筒部が設けられ、前記角筒部には、前記角筒部を構成する側壁部から延出して折り返し状に密着曲げされることでリブ状に突出した形態とされた２つのスタビライザが、前後に間隔を空けて並ぶように形成されている端子金具において、前記２つのスタビライザは、夫々、前記側壁部から上方へ面一状に立ち上がる第１平板部と、前記第１平板部の上端縁において略半円弧状に屈曲された曲げ板部と、前記曲げ板部から下方へ延出した第２平板部とから構成されており、前記２つのスタビライザの間には、前記側壁部から上方へ面一状に延出した平坦な一枚板状の侵入規制部が形成され、前記侵入規制部の前端が、前側の前記スタビライザの前記第１平板部に対して面一状に連なり、前記侵入規制部の後端が、後側の前記スタビライザの前記第１平板部に対して面一状に連なっており、前記侵入規制部の前記側壁部からの突出高さは、前記スタビライザの全高寸法より低い寸法とされているところに特徴を有する。
【０００８】
請求項２の発明は、請求項１に記載のものにおいて、前記スタビライザが延出する前記壁部には、その壁部とは別の壁部の側縁が略直角に突き当てられ、前記スタビライザの延出端縁が、前記別の壁部の側縁部に対しその外面側から当接又は接近して対向しているところに特徴を有する。
【０００９】
請求項３の発明は、請求項１又は請求項２に記載のものにおいて、前記スタビライザの前後方向の長さ寸法は、前後に隣り合う前記スタビライザの間隔よりも大きい寸法とされているところに特徴を有する。
【発明の効果】
【００１０】
＜請求項１の発明＞
前後に隣り合うスタビライザの間に異物が侵入しようとしても、侵入規制部によって侵入が阻止されるので、スタビライザ間への異物の噛み込みを防止することができる。
【００１１】
また、侵入規制部とその前後に隣接するスタビライザとを面一状に連なる形態としたので、侵入規制部が補強されて変形し難くなっている。
【００１２】
＜請求項２の発明＞
スタビライザの延出端縁が、角筒部を構成する複数の壁部のうちスタビライザが延出する壁部とは別の壁部の側縁部に対し、その外面側から当接又は接近して対向しているので、スタビライザが延出する壁部と、これとは別の壁部とが開いてしまう虞がなく、角筒部は所定の形状に保持される。
【００１３】
＜請求項３の発明＞
スタビライザの前後方向の長さ寸法は、前後に隣り合うスタビライザの間隔よりも大きい寸法とされているので、複数の端子金具を束ねた状態で運搬したり保管する際に、前後に隣り合うスタビライザの間に別の端子金具のスタビライザが噛み込む、という虞がない。
【図面の簡単な説明】
【００１４】
【図１】実施形態１の端子金具の側面図
【図２】端子金具の平面図
【図３】端子金具の一部切欠側面図
【図４】端子金具をコネクタハウジングに挿入した状態をあらわす断面図
【図５】図２及び図３のＸ−Ｘ線断面図
【図６】図２及び図３のＹ−Ｙ線断面図
【図７】図４のＺ−Ｚ線断面図
【発明を実施するための形態】
【００１５】
＜実施形態１＞
以下、本発明を具体化した実施形態１を図１乃至図７を参照して説明する。本実施形態の端子金具１０は、全体として前後方向に細長く、前端部に角筒部１１を配し、後端部に電線接続部１２を配し、角筒部１１と電線接続部１２とを連結部１３で連結した雌形の端子である。端子金具１０は、所定の形状に打ち抜いた金属板材に曲げ加工等を施して成形されたものである。
【００１６】
電線接続部１２は、ワイヤバレル部１２Ｆと、ワイヤバレル部１２Ｆの後端に連なるインシュレーションバレル部１２Ｒとから構成され、ワイヤバレル部１２Ｆとインシュレーションバレル部１２Ｒは、いずれも、基板部１４の左右両側縁から一対のカシメ片１５を立ち上げたオープンバレル状をなす周知の形態である。ワイヤバレル部１２Ｆには、電線４０の前端部において露出させた芯線４１が圧着によって導通可能に固着され、インシュレーションバレル部１２Ｒには、電線４０のうち絶縁被覆４２で露出されている領域の前端部が圧着によって固着されている。
【００１７】
連結部１３は、電線接続部１２の基板部１４に連なる底面壁１６と、底面壁１６の左右両側縁から略直角に立ち上がってワイヤバレル部１２Ｆのカシメ片１５に連なる一対の側面壁１７とから構成されている。側面壁１７の底面壁１６からの立ち上がり寸法は、後述する角筒部１１の側壁部１９Ｌ，１９Ｒの高さ寸法よりも小さい。
【００１８】
角筒部１１は、連結部１３の底面壁１６に連なる下壁部１８と、下壁部１８の左右両側縁から略直角に立ち上がる左右一対の側壁部１９Ｌ，１９Ｒと、左側壁部１９Ｌ，１９Ｒの上端縁（立ち上がり端縁）から下壁部１８と略平行に延出した上壁部２０（本発明の構成要件である箱状部を構成する別の壁部）とにより角筒状に構成されたものである。角筒部１１を構成する下壁部１８、左右両側壁部１９Ｌ，１９Ｒ及び上壁部２０は、後述する嵌合部２４、内壁部２５及び支持壁部２６によって方形の筒形状に成形された状態を保つ。
【００１９】
下壁部１８の後端は、連結部１３の底面壁１６に対して面一状に連なり、左右両側壁部１９Ｌ，１９Ｒの後端は、連結部１３の左右両側面壁１７に対して面一状に連なっている。角筒部１１の側壁部１９Ｌ，１９Ｒの下壁部１８からの立ち上がり高さは、連結部１３の側面壁１７の立ち上がり寸法よりも大きいので、角筒部１１の後端部と連結部１３の前端部との境界部分は段差状をなす。この段差形状により、角筒部１１の後端部には、リテーナ５４を後方から係止させるための係止部２１が形成されている。
【００２０】
図２に示すように、上壁部２０の右側縁のうち前後方向中央よりも前方の領域は、右側壁部１９Ｒ（本発明の構成要件である壁部）の上面端面に対して上から載置されるように当接している。上壁部２０の上面（外面）には、前後方向における中央よりも前方の領域の右側縁部分を浅く凹ませた略「コ」字形の凹み部２２が形成され、上壁部２０の上面における右側縁部のうち凹み部２２で囲まれた突起状部分は、嵌合突起２３となっている。この凹み部２２と嵌合突起２３には、右側壁部１９Ｒの上端縁（立ち上がり端縁）から略「コ」字形に延出させた嵌合部２４が、上から嵌合されている。この嵌合部２４の嵌合により、上壁部２０は、右側壁部１９Ｒに対して、上方及び前後左右方向への相対変位を規制されている。
【００２１】
上壁部２０の右側縁のうち前後方向中央よりも後方の領域は、図５に示すように、右側壁部１９Ｒの内面における上端部に対して左方から当接している。そして、上壁部２０の右側縁における後端部からは、図６に示すように、内壁部２５が、右側壁部１９Ｒの内面に沿うように下方へ延出している。内壁部２５の下端縁（延出端縁）からは、支持壁部２６が、下壁部１８の上面（内面）に沿すように左方へ延出している。支持壁部２６の左端縁は左側壁部１９Ｌに当接され、支持壁部２６の左側縁に形成した係止突起２７は、左側壁部１９Ｌの係止孔２８に係止されている。この内壁部２５と支持壁部２６により、上壁部２０は、左右両側壁部１９Ｌ，１９Ｒ及び下壁部１８に対して下方及び左右方向への相対変位を規制されている。また、支持壁部２６の前端縁からは、雄形の相手側端子（図示省略）のタブが角筒部１１に挿入されたときに、そのタブに対して弾性的に接触する弾性接触片２９が、下壁部１８に対して間隔を空けた状態で前方へ片持ち状に延出している。
【００２２】
角筒部１１には、上壁部２０の前後方向における中央よりも少し後方の領域を方形に切欠することによって開口させた抜止孔３０が形成されている。抜止孔３０は、上壁部２０の外面（上面）と内面（下面）とを連通させた形態であり、この抜止孔３０には、後述するランス５２が係止されるようになっている。また、図２に示すように、前後方向における抜止孔３０の位置は、上壁部２０の相対変位を規制するための内壁部２５及び支持壁部２６よりも前方であり、且つ、嵌合部２４よりも後方となっている。
【００２３】
本実施形態の端子金具１０は、コネクタハウジング５０内に形成されたキャビティ５１に後方から挿入されるようになっている。キャビティ５１には、その上壁面に沿って前方に片持ち状に延出した形態のランス５２が形成されている。ランス５２は、ランス５２自体の剛性によって常には図４に示す係止位置に保持されているが、係止位置からキャビティ５１の上方へ退避した係止解除位置へ弾性撓みし得るようになっている。ランス５２の下面（内面）には抜止め突起５３が形成されている。キャビティ５１に端子金具１０が挿入する過程では、抜止め突起５３が角筒部１１の上面（外面）と干渉することによってランス５２が係止解除位置へ退避し、端子金具１０が正規の挿入状態になると、ランス５２が弾性復帰して抜止め突起５３が抜止孔３０に係止し、この係止作用によって端子金具１０が抜止め状態に保持される。
【００２４】
また、コネクタハウジング５０には、ランス５２とは別に端子金具１０を抜止めする手段としてリテーナ５４が取り付けられている。リテーナ５４は、キャビティ５１内に臨む抜止部５５を有しており、図４に示す本係止位置と、図４よりも上方へ退避して端子金具１０のキャビティ５１への挿入を許容する仮係止位置との間で上下に変位し得るようになっている。端子金具１０が正しく挿入された状態でリテーナ５４を本係止位置へ移動させると、抜止部５５が端子金具１０の係止部２１に係止し、この係止作用によって端子金具１０が抜止めされた状態に保持される。
【００２５】
角筒部１１には、端子金具１０を後述するコネクタハウジング５０内に挿入するときに、上下反転した姿勢で不正に挿入されるのを規制する手段として、角筒部１１の外面から上方へリブ状に突出する２つのスタビライザ３１Ｆ，３１Ｒが形成されている。２つのスタビライザ３１Ｆ，３１Ｒは、角筒部１１の前後方向に延びる４つの角縁のうち右上の角縁の稜線３６に沿って前後方向に間隔を空けて並んでいる。コネクタハウジング５０側には、端子金具１０が正しい姿勢でキャビティ５１に挿入されたときにスタビライザ３１Ｆ，３１Ｒの進入を許容するための溝部５６が、キャビティ５１の天井壁に沿って形成されている。
【００２６】
スタビライザ３１Ｆ，３１Ｒは、角筒部１１の前後方向における中央よりも後方の領域（上壁部２０の右端縁が右側壁部１９Ｒの内面に突き当たっている領域）に配されている。図２に示すように、前側のスタビライザ３１Ｆは、前後方向において抜止孔３０と対応する領域に配され、後側のスタビライザ３１Ｒは、前後方向において内壁部２５と対応する領域に配されている。
【００２７】
図５及び図６に示すように、各スタビライザ３１Ｆ，３１Ｒは、右側壁部１９Ｒの上端縁（立ち上がり端縁）から上方へ面一状に延出する第１平板部３２と、第１平板部３２の上端縁において左側（角筒部１１の幅方向における内側）へ略半円弧状に屈曲された曲げ板部３３と、曲げ板部３３から下方へ延出した第２平板部３４とから構成されている。第２平板部３４は、第１平板部３２の左面に対して概ね平行な姿勢（つまり、僅かに傾いた姿勢）となっており、第２平板部３４（スタビライザ３１Ｆ，３１Ｒ）の延出端縁３４Ｅ（下端縁）は、上壁部２０の右側縁部の上面（外面）に対して上から当接するように、又は僅かに隙間を空けて対向するように位置している。
【００２８】
このように２つのスタビライザ３１Ｆ，３１Ｒを前後に間隔を空けて並べて配置した場合、この２つのスタビライザ３１Ｆ，３１Ｒの間に凹んだ部分が存在することになり、この凹んだ部分に、他部材が噛み込んでしまうことが懸念される。そこで、噛み込み防止の手段として、本実施形態では、角筒部１１に侵入規制部３５が一体に形成されている。侵入規制部３５は、スタビライザ３１Ｆ，３１Ｒの形成母体である右側壁部１９Ｒの上端縁から上方へ面一状に延出した形態であり、平坦な一枚板状をなしている。侵入規制部３５の前端は前側のスタビライザ３１Ｆの第１平板部３２に対して面一状に連なり、侵入規制部３５の後端は後側のスタビライザ３１Ｒの第１平板部３２に対して面一状に連なっている。
【００２９】
図１，図５，図６に示すように、右側壁部１９Ｒの上端縁（角筒部１１の上面）からの侵入規制部３５の突出高さは、スタビライザ３１Ｆ，３１Ｒの第１平板部３２の突出高さと同じ寸法であるが、スタビライザ３１Ｆ，３１Ｒの全高寸法（曲げ板部３３のうちの最も高い頂上部の高さ寸法）よりは低い。また、前側のスタビライザ３１Ｆの前後寸法と後側のスタビライザ３１Ｒの前後寸法は、ほぼ同じ寸法であり、両スタビライザ３１Ｆ，３１Ｒの前後方向の間隔は、１つのスタビライザ３１Ｆ，３１Ｒの前後長よりも小さい寸法である。つまり、侵入規制部３５の前後長は、１つのスタビライザ３１Ｆ，３１Ｒの前後長よりも短い。さらに、前後のスタビライザ３１Ｆ，３１Ｒの間隔は、リテーナ５４の抜止部５５の前後長よりも小さい寸法である。
【００３０】
上述のように、本実施形態の端子金具１０は、電線接続部１２の前方に角筒部１１が設けられ、角筒部１１（の稜線３６）には、角筒部１１を構成する右側壁部１９Ｒから延出して折り返し状に密着曲げされることでリブ状に突出した形態とされた前後２つのスタビライザ３１Ｆ，３１Ｒが、前後に間隔を空けて並ぶように形成されたものである。そして、前後に隣り合う２つのスタビライザ３１Ｆ，３１Ｒの間には、角筒部１１を構成する右側壁部１９Ｒから延出した一枚板状の侵入規制部３５が形成されている。この構成によれば、前後に隣り合うスタビライザ３１Ｆ，３１Ｒの間に異物が侵入しようとしても、侵入規制部３５によって侵入が阻止されるので、スタビライザ３１Ｆ，３１Ｒ間への異物の噛み込みを防止することができる。
【００３１】
また、侵入規制部３５は、侵入規制部３５の前後に隣接するスタビライザ３１Ｆ，３１Ｒの第１平板部３２に対して面一状に連なる形態となっているので、侵入規制部３５が補強されて変形し難くなっている。また、侵入規制部３５は、スタビライザ３１Ｆ，３１Ｒに連なっているだけでなく、右側壁部１９Ｒにも連なっているので、侵入規制部３５の強度が、より高められている。これにより、スタビライザ３１Ｆ，３１Ｒ間への異物の噛み込みを確実に防止することができる。さらに、侵入規制部３５は、平坦な一枚板状をなしていて曲げ加工が不要であるから、その分、端子金具１０の製造が簡素化される。
【００３２】
また、スタビライザ３１Ｆ，３１Ｒが配されている稜線３６は、スタビライザ３１Ｆ，３１Ｒが延出する右側壁部１９Ｒに対し、その右側壁部１９Ｒとは別の壁部である上壁部２０の右側縁を略直角に突き当てることによって形成されており、スタビライザ３１Ｆ，３１Ｒの延出端縁３４Ｅが、上壁部２０の右側縁部に対しその外面側から当接又は接近して対向している。このようにスタビライザ３１Ｆ，３１Ｒの延出端縁３４Ｅで上壁部２０を外面側から押さえ込む構成にすれば、上壁部２０が上方へ開いて稜線３６に隙間が空く虞がないので、角筒部１１は所定の形状に保持される。特に、本実施形態では、前側のスタビライザ３１Ｆの延出端縁３４Ｅが、上壁部２０のうち抜止孔３０の形成によって剛性が低下している領域を押さえ込んでいるので、効果的である。
【００３３】
また、スタビライザ３１Ｆ，３１Ｒの前後方向の長さ寸法は、前後に隣り合うスタビライザ３１Ｆ，３１Ｒの間隔よりも大きい寸法とされているので、複数の端子金具１０を束ねた状態で運搬したり保管する際に、前後に隣り合うスタビライザ３１Ｆ，３１Ｒの間に別の端子金具１０のスタビライザ３１Ｆ，３１Ｒが噛み込む、という虞がない。
【００３４】
＜他の実施形態＞
本発明は上記記述及び図面によって説明した実施形態に限定されるものではなく、例えば次のような実施形態も本発明の技術的範囲に含まれる。
（１）上記実施形態では、スタビライザを構成する第１平板部と第２平板部のうち基端側の第１平板部を、スタビライザが延出する壁部（右側壁部）に対して面一状に連なる形態としたが、第１平板部は、スタビライザが延出する壁部（右側壁部）に対して直角に屈曲した形態であってもよい。
（２）上記実施形態では、スタビライザの数を２つとしたが、スタビライザは、３つ以上であってもよい。この場合、侵入規制部は少なくとも２つ以上設けることになる。
（３）上記実施形態では、侵入規制部と、侵入規制部の前後に隣接するスタビライザとを、共通の壁部（右側壁部）から延出させたが、侵入規制部と、侵入規制部の前後に隣接するスタビライザとを、互いに異なる壁部から延出させてもよい。
（４）上記実施形態では、隣り合う２つのスタビライザの間に設ける侵入規制部の数を１つとしたが、隣り合う２つのスタビライザの間に複数の侵入規制部を設けてもよい。
（５）上記実施形態では、スタビライザの延出端縁が、角筒部を構成する複数の壁部のうちスタビライザが延出する壁部（右側壁部）とは別の壁部（上壁部）の側縁部に対し、その外面側から当接又は接近して対向するようにしたが、スタビライザの延出端縁は、スタビライザが延出する壁部（右側壁部）とは別の壁部（上壁部）の側縁部に対し、大きく間隔を空けて対向する形態としてもよく、別の壁部（上壁部）とは対向しない形態としてもよい。
（６）上記実施形態では、スタビライザの前後方向の長さ寸法を、前後に隣り合うスタビライザの間隔よりも大きい寸法としたが、スタビライザの前後方向の長さ寸法は、前後に隣り合うスタビライザの間隔と同じかそれよりも小さい寸法としてもよい。
（７）上記実施形態では、スタビライザの前後方向の長さ寸法を、侵入規制部の前後方向の長さ寸法よりも大きくしたが、スタビライザの前後方向の長さ寸法は、侵入規制部の前後方向の長さ寸法と同じかそれよりも小さい寸法であってもよい。
（８）上記実施形態では、前側のスタビライザの前後寸法と後側のスタビライザの前後寸法をほぼ同じ寸法としたが、前側のスタビライザと後側のスタビライザの前後長は、互いに異なる寸法としてもよい。
（９）上記実施形態では、角筒部の外面（稜線）からの侵入規制部の突出寸法を、スタビライザの突出寸法よりも小さくしたが、侵入規制部の突出寸法は、スタビライザの突出寸法と同じ寸法であってもよい。
（１０）上記実施形態では、侵入規制部を角筒部を構成する右側壁部から延出した形態としたが、侵入規制部は、スタビライザを構成する壁部から延出する形態ではなく、スタビライザのみに連なる形態としてもよい。
（１１）上記実施形態では、角筒部内に相手が端子のタブが挿入される雌形の端子金具に適用した例を説明したが、本発明は、角筒部から前方へタブを突出させた形態の雄形の端子金具にも適用することができる。
＜参考例＞
（１）上記実施形態では、侵入規制部と、侵入規制部の前後に隣接するスタビライザとを、互いに面一状に連なる形態としたが、参考例とし、侵入規制部と、侵入規制部の前後に隣接するスタビライザとを、直接連続しない形態とし、侵入規制部とスタビライザとの間に僅かに隙間が空くようにしてもよい。
【符号の説明】
【００３５】
１０…端子金具
１１…角筒部
１２…電線接続部
１９Ｒ…右側壁部（壁部）
２０…上壁部（別の壁部）
３１Ｆ…前側スタビライザ
３１Ｒ…後側スタビライザ
３４Ｅ…延出端縁
３５…侵入規制部
３６…稜線
【図１】
0005510010.tif 000002
【図２】
0005510010.tif 000003
【図３】
0005510010.tif 000004
【図４】
0005510010.tif 000005
【図５】
0005510010.tif 000006
【図６】
0005510010.tif 000007
【図７】
0005510010.tif 000008